(57)【要約】【課題】ゲンロックシステムに影響を及ぼす現象を把握する。【解決手段】  ゲンロック装置は、外部の基準信号を入力する手段(31)と、外部の基準信号に位相同期するマスター基準クロック信号を生成する手段(32,33,34,36,39,40,41,42,44)と、ゲンロックの状態を記憶する手段(37)と、を備える。ゲンロック装置は、電圧制御発振器(40)が、電圧制御発振器の基準周波数よりも所定の値だけ高い（又は低い）周波数を持つ信号を発振するように、予め決定された電圧値を記憶する手段(45)と、電圧制御発振器を制御する電圧値が、予め決定された電圧値よりも大きい（又は小さい）か否かを判定する手段(44)と、をさらに備えることができる。ゲンロックの状態は、外部の基準信号に同期信号又はバースト信号が含まれていないこと、及び外部の基準信号のフォーマットを含む。【選択図】  図３
2006217419.tif 000002
【特許請求の範囲】
【請求項１】
ゲンロック装置であって、
外部の基準信号を入力する手段と、
外部の基準信号に位相同期するマスター基準クロック信号を生成する手段と、
ゲンロックの状態を記憶する手段と、
を備えるゲンロック装置。
【請求項２】
請求項１に記載のゲンロック装置であって、ゲンロック装置はさらに、
外部の基準信号に同期信号が含まれていないことを検出する手段を、
備え、
ゲンロックの状態は、外部の基準信号に同期信号が含まれていないことを含む、ゲンロック装置。
【請求項３】
請求項１に記載のゲンロック装置であって、ゲンロック装置はさらに、
外部の基準信号にバースト信号が含まれていないことを検出する手段を、
備え、
ゲンロックの状態は、外部の基準信号にバースト信号が含まれていないことを含む、ゲンロック装置。
【請求項４】
請求項１に記載のゲンロック装置であって、ゲンロック装置はさらに、
外部の基準信号のフォーマットを検出する手段を、
備え、
ゲンロックの状態は、外部の基準信号のフォーマットを含む、ゲンロック装置。
【請求項５】
請求項１に記載のゲンロック装置であって、
ゲンロックの状態は、マスター基準クロック信号が外部の基準信号に位相同期していることを含む、ゲンロック装置。
【請求項６】
請求項１に記載のゲンロック装置であって、ゲンロック装置はさらに、
内部の基準信号を発振する手段と、
内部の基準信号に位相同期するマスター基準クロック信号を生成する手段と、
備え、
ゲンロックの状態は、マスター基準クロック信号が内部の基準信号に位相同期していることを含む、ゲンロック装置。
【請求項７】
請求項１に記載のゲンロック装置であって、
ゲンロックの状態は、ゲンロックの動作モードを含む、ゲンロック装置。
【請求項８】
請求項１に記載のゲンロック装置であって、
ゲンロックの状態を記憶する手段は、現在の日付及び時刻とともにゲンロックの状態を記憶する、ゲンロック装置。
【請求項９】
請求項１に記載のゲンロック装置であって、
外部の基準信号に位相同期するマスター基準クロック信号を生成する手段は、電圧制御発振器を備え、
ゲンロック装置は、
電圧制御発振器が、電圧制御発振器の基準周波数よりも所定の値だけ高い周波数を持つ信号を発振するように、予め決定された第１の電圧値を記憶する手段と、
電圧制御発振器を制御する電圧値が、第１の電圧値よりも大きいか否かを判定する手段と、
をさらに備え、
ゲンロックの状態は、マスター基準クロック信号が、上限の許容値を超えて、外部の基準信号に位相同期していることを含む、ゲンロック装置。
【請求項１０】
請求項１に記載のゲンロック装置であって、
外部の基準信号に位相同期するマスター基準クロック信号を生成する手段は、電圧制御発振器を備え、
ゲンロック装置は、
電圧制御発振器が、電圧制御発振器の基準周波数よりも所定の値だけ低い周波数を持つ信号を発振するように、予め決定された第２の電圧値を記憶する手段と、
電圧制御発振器を制御する電圧値が、第２の電圧値よりも小さいか否かを判定する手段と、
をさらに備え、
ゲンロックの状態は、マスター基準クロック信号が、下限の許容値を超えて、外部の基準信号に位相同期していることを含む、ゲンロック装置。
【請求項１１】
ゲンロック装置であって、
外部の基準信号を入力する手段と、
外部の基準信号に位相同期するマスター基準クロック信号を生成する手段であって、電圧制御発振器を備える手段と、
電圧制御発振器が、電圧制御発振器の基準周波数よりも所定の値だけ高い周波数を持つ信号を発振するように、予め決定された第１の電圧値を記憶する手段と、
電圧制御発振器を制御する電圧値が、第１の電圧値よりも大きいか否かを判定する手段と、
マスター基準クロック信号が上限の許容値を超えて外部の基準信号に位相同期していることを表示する手段と、
を備える、ゲンロック装置。
【請求項１２】
請求項１１に記載のゲンロック装置であって、
電圧制御発振器が、電圧制御発振器の基準周波数よりも所定の値だけ高い周波数を持つ信号を発振するように、予め決定された第２の電圧値を記憶する手段と、
電圧制御発振器を制御する電圧値が、第２の電圧値よりも小さいか否かを判定する手段と、
マスター基準クロック信号が下限の許容値を超えて外部の基準信号に位相同期していることを表示する手段と、
をさらに備えるゲンロック装置。
【発明の詳細な説明】
【技術分野】
【０００１】
本発明は、一般に、ゲンロック装置に関連し、より詳細には、ゲンロック（ＧＥＮＥＲＡＴＩＯＮ  ＬＯＣＫ）の状態を記録する機能、及び／又は、ゲンロックの状態を判定して警告する機能を有するゲンロック装置に関連する。
【背景技術】
【０００２】
ゲンロック装置は、様々な機器の中に組み込まれており、それらの機器は、例えば放送局のスタジオ、中継車などの中に配置され、また、例えば映像処理などを行う。
図１は、ゲンロックシステムを概略的に説明するための図であり、図２は、映像信号発生器１２の概略機能ブロック図である。
【０００３】
図１に示すように、ゲンロックシステムは、基準信号発生器１１と、映像信号発生器１２及び１３と、終端器１４と、を備える。基準信号発生器１１は、基準信号（例えば、ＮＴＳＣブラックバースト（ＢＢ：Ｂｌａｃｋ  Ｂｕｒｓｔ）信号：ＥＸＴ＿ＲＥＦ）を生成し、その基準信号（ＥＸＴ＿ＲＥＦ）は、映像信号発生器１２及び１３の両者に入力される。映像信号発生器１２及び１３のそれぞれは、基準信号（ＥＸＴ＿ＲＥＦ）に同期した映像信号を生成し、出力する。このように、映像信号発生器１２及び１３のそれぞれから出力される映像信号は、共通の基準信号（ＥＸＴ＿ＲＥＦ）に同期しているので、例えば、映像信号発生器１２及び１３から出力される映像を合成処理する場合に都合よく処理することができる。
【０００４】
図２に示すように、映像信号発生器１２は、ゲンロック装置２１と、映像信号処理装置２２と、を備える。ゲンロック装置２１は、基準信号（ＥＸＴ＿ＲＥＦ）を入力し、その基準信号（ＥＸＴ＿ＲＥＦ）に同期したマスター基準クロック信号（ＭＡＳ＿ＲＥＦ＿ＣＬＫ）を生成して出力する。映像信号処理装置２２は、マスター基準クロック信号（ＭＡＳ＿ＲＥＦ＿ＣＬＫ）に基づいて、基準信号（ＥＸＴ＿ＲＥＦ）に同期した映像信号を生成して出力する。
【０００５】
なお、図２に示す映像信号発生器１２に類似する映像信号発生器は、以下に示す特許文献１の図１３に示されている。
【特許文献１】特開平１０−１９１０９９号公報（第１３図）
【発明の開示】
【発明が解決しようとする課題】
【０００６】
基準信号発生器１１からの基準信号（ＥＸＴ＿ＲＥＦ）は、一般に、同軸ケーブルを介して映像信号発生器１２及び１３に入力され、映像信号発生器１２及び１３に入力される基準信号（ＥＸＴ＿ＲＥＦ）は、何らかの原因により途切れることや、外部のノイズにより影響を受けることがある。このような場合、結果として、ゲンロックシステムは、悪影響を受けることになる。
【０００７】
本発明の目的は、ゲンロックシステムに影響を及ぼす現象を把握することができるゲンロック装置を提供することである。
本発明のもう１つの目的は、ゲンロックの状態を記録する機能を有するゲンロック装置を提供することである。
【０００８】
本発明の更なる目的は、ゲンロックの状態を判定して警告する機能を有するゲンロック装置を提供することである。
本発明の他の目的は、特許請求の範囲、発明の実施形態、及び図面を参照することにより、当業者によって明らかになるであろう。
【課題を解決するための手段】
【０００９】
本発明のゲンロック装置は、外部の基準信号を入力する手段と、外部の基準信号に位相同期するマスター基準クロック信号を生成する手段と、ゲンロックの状態を記憶する手段と、を備える。
【００１０】
ゲンロック装置はさらに、外部の基準信号に同期信号が含まれていないことを検出する手段を備えるとこができ、ゲンロックの状態は、外部の基準信号に同期信号が含まれていないことを含む。
【００１１】
ゲンロック装置はさらに、外部の基準信号にバースト信号が含まれていないことを検出する手段を備えることでき、ゲンロックの状態は、外部の基準信号にバースト信号が含まれていないことを含む。
【００１２】
ゲンロック装置はさらに、外部の基準信号のフォーマットを検出する手段を備えることができ、ゲンロックの状態は、外部の基準信号のフォーマットを含む。
ゲンロックの状態は、マスター基準クロック信号が外部の基準信号に位相同期していることを含む。
【００１３】
ゲンロック装置はさらに、内部の基準信号を発振する手段と、内部の基準信号に位相同期するマスター基準クロック信号を生成する手段と、備えることができ、ゲンロックの状態は、マスター基準クロック信号が内部の基準信号に位相同期していることを含む。
【００１４】
ゲンロックの状態は、ゲンロックの動作モードを含む。ゲンロックの状態を記憶する手段は、現在の日付及び時刻とともにゲンロックの状態を記憶することができる。外部の基準信号に位相同期するマスター基準クロック信号を生成する手段は、電圧制御発振器を備えることができる。ゲンロック装置は、電圧制御発振器が、電圧制御発振器の基準周波数よりも所定の値だけ高い周波数を持つ信号を発振するように、予め決定された第１の電圧値を記憶する手段と、電圧制御発振器を制御する電圧値が、第１の電圧値よりも大きいか否かを判定する手段と、をさらに備えることができる。ゲンロックの状態は、マスター基準クロック信号が、上限の許容値を超えて、外部の基準信号に位相同期していることを含む。
【００１５】
ゲンロック装置は、電圧制御発振器が、電圧制御発振器の基準周波数よりも所定の値だけ低い周波数を持つ信号を発振するように、予め決定された第２の電圧値を記憶する手段と、電圧制御発振器を制御する電圧値が、第２の電圧値よりも小さいか否かを判定する手段と、をさらに備えることができる。ゲンロックの状態は、マスター基準クロック信号が、下限の許容値を超えて、外部の基準信号に位相同期していることを含む。
【００１６】
ゲンロック装置は、マスター基準クロック信号が上限の許容値を超えて外部の基準信号に位相同期していることを表示する手段を備えることができる。ゲンロック装置は、マスター基準クロック信号が下限の許容値を超えて外部の基準信号に位相同期していることを表示する手段を備えることができる。
【発明を実施するための最良の形態】
【００１７】
以下に、本発明の実施形態を説明するが、本発明は、これらの実施形態に限定されない。また、当業者は、以下の実施形態を変形して、特許請求の範囲によって定義される本発明を容易に実施することができるであろう。
【００１８】
図３は、本発明に従ったゲンロック装置２１の詳細なブロック図である。なお、図３に示すゲンロック装置２１は、外部同期モード及び内部同期モードの双方を備える。外部同期モードは、基準信号発生器１１からの基準信号（ＥＸＴ＿ＲＥＦ）に位相同期したマスター基準クロック信号を生成するモードである。内部同期モードは、ゲンロック装置２１の内部で発振する基準信号（ＩＮＴ＿ＲＥＦ）に位相同期したマスター基準クロック信号を生成するモードである。また、外部同期モードは、基準信号発生器１１からの基準信号（ＥＸＴ＿ＲＥＦ）が無くなった場合に、無くなる直前の基準信号（ＥＸＴ＿ＲＥＦ）に位相同期したマスター基準クロック信号を生成するモード（ＦＬＹＷＨＥＥＬ）を含む。
【００１９】
同期信号分離器３１は、基準信号発生器１１からの基準信号（ＥＸＴ＿ＲＥＦ）を入力し、基準信号に同期信号が含まれているか否かを判定する。基準信号に、同期信号が含まれている場合、同期信号分離器３１は、基準信号から同期信号を分離する。
【００２０】
基準信号に、同期信号が含まれていない場合、同期信号分離器３１は、同期信号が含まれていないことを示す信号を生成し、その信号（ＳＹＮＣ＿ＡＢＳＥＮＴ）をＣＰＵ４４に出力する。この場合、同期信号分離器３１は、位相比較器３２に何も出力しない。
【００２１】
基準信号に、同期信号が含まれている場合、同期信号分離器３１はさらに、基準信号にバースト信号が含まれているか否かを判定する。基準信号に、バースト信号が含まれていない場合、同期信号分離器３１は、バースト信号が含まれていないことを示す信号を生成し、その信号（ＢＵＲＳＴ＿ＡＢＳＥＮＴ）をＣＰＵ４４に出力する。
【００２２】
基準信号に、同期信号が含まれている場合、同期信号分離器３１はさらに、基準信号のフォーマットを検出し、検出したフォーマットを示す信号（ＦＯＲＭＡＴ＿ＤＥＴＥＣＴ）をＣＰＵ４４に出力する。
【００２３】
同期信号分離器３１は、基準信号から同期信号を分離した後、ＣＰＵ４４からの指示に従って、分離した同期信号をそのまま位相比較器３２に出力し、或いは、分離した同期信号を分周し、位相比較器３２に入力するための適切な信号を生成し、位相比較器３２に出力する。なお、ＣＰＵ４４からの指示は、例えば、所定の分周比（１／１を含む。）で分周する、或いは、分周しない、等である。具体的には、例えば、基準信号がＳＤ（Ｓｔａｎｄａｒｄ  Ｄｅｆｉｎｉｔｉｏｎ）規格の基準信号である場合、ＣＰＵ４４は、分離した同期信号をそのまま位相比較器３２に出力する。また、基準信号がＨＤ（Ｈｉｇｈ  Ｄｅｆｉｎｉｔｉｏｎ）規格の基準信号（１０８０ｉ／５９．９４）である場合、ＣＰＵ４４は、分離した同期信号を１／１５に分周して、位相比較器３２に出力する。さらに、基準信号がＨＤ規格の基準信号（１０８０ｉ／５０）である場合、ＣＰＵ４４は、分離した同期信号を１／９に分周して、位相比較器３２に出力する。
【００２４】
位相比較器３２は、同期信号分離器３１から同期信号（分周された同期信号を含む）を入力する。また、位相比較器３２は、電圧制御発振器４０から発振される信号をプログラマブル分周器４２を介して入力する。位相比較器３２は、入力した２つの信号の位相を比較し、位相差を示す信号をローパスフィルタ３３に出力する。
ローパスフィルタ３３は、位相比較器３２から入力した信号の高周波成分を除去して、ＡＤコンバータ３４に出力する。
ＡＤコンバータ３４は、ローパスフィルタ３３から入力した信号の電圧をデジタル値に変換して、マルチプレクサ３５及びバッファ３６に出力する。
【００２５】
マルチプレクサ３５は、ＡＤコンバータ３４からデジタル値を入力する。また、マルチプレクサ３５は、ラッチ３７に保持されているデジタル値を入力する。マルチプレクサ３５は、入力した２つのデジタル値の何れか１つを選択するための信号を、ＣＰＵ４４から入力する。マルチプレクサ３５は、選択信号に従って、入力した２つのデジタル値を切り替えて、マルチプレクサ３８に出力する。
【００２６】
より具体的には、例えば、マルチプレクサ３５は、ＡＤコンバータ３４のデジタル値を選択するための信号（Ｖｃ  ＳＥＬＥＣＴ）を入力する場合、ＡＤコンバータ３４からのデジタル値をマルチプレクサ３８に出力する。また、マルチプレクサ３５は、ラッチ３７のデジタル値を選択するための信号（Ｖｃ  ＦＬＹＷＨＥＥＬ  ＣＯＮＴＲＯＬ  ＳＥＬＥＣＴ）を入力する場合、ラッチ３７に保持されているデジタル値をマルチプレクサ３８に出力する。
【００２７】
バッファ３６は、ＡＤコンバータ３４からのデジタル値を記憶する。なお、バッファ３６に記憶されるデジタル値は、ＣＰＵ４４によって読み出される。
ラッチ３７は、ＦＬＹＷＨＥＥＬモードを実行するためのデジタル値を保持し、マルチプレクサ３５に出力する。なお、ラッチ３７に保持されるデジタル値は、ＣＰＵ４４によって書き込まれる。
【００２８】
マルチプレクサ３８は、マルチプレクサ３５からデジタル値を入力する。また、マルチプレクサ３８は、ラッチ４３に保持されているデジタル値を入力する。マルチプレクサ３８は、入力した２つのデジタル値の何れか１つを選択するための信号を、ＣＰＵ４４から入力する。マルチプレクサ３８は、選択信号に従って、入力した２つのデジタル値を切り替えて、ＤＡコンバータ３９に出力する。
【００２９】
より具体的には、例えば、マルチプレクサ３８は、マルチプレクサ３５のデジタル値を選択するための信号（ＥＸＴ  ＳＥＬＥＣＴ）を入力する場合、マルチプレクサ３５からのデジタル値をＤＡコンバータ３９に出力する。また、マルチプレクサ３８は、ラッチ４３のデジタル値を選択するための信号（ＩＮＴ  ＳＥＬＥＣＴ）を入力する場合、ラッチ４３に保持されているデジタル値をＤＡコンバータ３９に出力する。
【００３０】
ＤＡコンバータ３９は、マルチプレクサ３８から入力したデジタル値をアナログ電圧に変換して、電圧制御発振器４０に出力する。
電圧制御発振器４０は、ＤＡコンバータ３９からのアナログ電圧に応じて、一定の周波数を持つ信号を発振し、分周器４１に出力する。
【００３１】
分周器４１は、電圧制御発振器４０から入力した信号の周波数を所定の数で除算した値の周波数を持つ信号を、プログラマブル分周器４２に出力する。所定の数は、例えば、２である。分周器４１によって生成される信号は、本発明のゲンロック装置２１の出力信号であり、マスター基準クロック信号（ＭＡＳ＿ＲＥＦ＿ＣＬＫ）として、ゲンロック装置２１から映像信号処理装置２２に送られる。なお、分周器４１を省略することもでき、この場合、電圧制御発振器４０から出力される信号が、マスター基準クロック信号（ＭＡＳ＿ＲＥＦ＿ＣＬＫ）である。
【００３２】
プログラマブル分周器４２は、分周器４１から入力した信号の周波数を所定の数で除算した値の周波数を持つ信号を、位相比較器３２に出力する。所定の数は、位相比較器３２に入力される２つの信号の位相差がなくなるように、検出したフォーマットを示す信号（ＦＯＲＭＡＴ＿ＤＥＴＥＣＴ）を元にＣＰＵ４４によって決定される。
【００３３】
外部同期モードにおいて、位相比較器３２に入力される２つの信号が位相同期しているので、基準信号（ＥＸＴ＿ＲＥＦ）に含まれている同期信号と、マスター基準クロック信号（ＭＡＳ＿ＲＥＦ＿ＣＬＫ）とは、位相同期している。
【００３４】
ラッチ４３は、内部同期モードにおいて電圧制御発振器４０を制御するためのデジタル値を保持し、マルチプレクサ３８に出力する。なお、ラッチ３７に保持されるデジタル値は、ＣＰＵ４４によって書き込まれ、このデジタル値は、電圧制御発振器４０が、電圧制御発振器４０の基準周波数（例えば、２７ＭＨｚ）を持つ信号を発振するように、予め決定されている。
【００３５】
メモリ手段４５（例えば、フラッシュメモリ）は、電圧制御発振器４０が、電圧制御発振器４０の基準周波数（例えば、２７ＭＨｚ）を持つ信号を発振するように、予め決定されたデジタル値を記憶する。また、メモリ手段４５は、電圧制御発振器４０が、基準周波数（例えば、２７ＭＨｚ）よりも所定の値（例えば、基準周波数の１０ｐｐｍ）だけ高い周波数（例えば、２７．０００２７０ＭＨｚ）を持つ信号を発振するように、予め決定されたデジタル値を記憶する。さらに、メモリ手段４５は、電圧制御発振器４０が、基準周波数よりも所定の値だけ低い周波数（例えば、２６．９９９７３０ＭＨｚ）を持つ信号を発振するように、予め決定されたデジタル値を記憶する。加えて、メモリ手段４５は、ＣＰＵ４４を制御するためのプログラムを記憶する。
【００３６】
ＣＰＵ４４は、メモリ手段４５に記憶されるプログラムを読み出し、プログラムに従って、以下に示す動作を実行する。なお、ゲンロックの動作モードを表すデータが、メモリ手段４７（例えば、ＲＡＭ）に記憶されている。ゲンロックの動作モードは、例えば、５つの動作モードからなる。第１の動作モード（ＩＮＴＥＲＮＡＬ）は、常に内部同期モードでゲンロックを行うモードである。第２の動作モード（ＡＵＴＯ（ＧＯ  ＩＮＴＥＲＮＡＬ））は、外部の基準信号（ＥＸＴ＿ＲＥＦ）のフォーマットに拘わらず、外部同期モードでゲンロックを行い、また、外部の基準信号が無くなった場合に内部同期モードでゲンロックを行うモードである。第３の動作モード（ＭＡＮＵＡＬ（ＧＯ  ＩＮＴＥＲＮＡＬ））は、ユーザによって指定されたフォーマットと一致する外部の基準信号が入力される場合に外部同期モードでゲンロックを行い、それ以外の場合に内部同期モードでゲンロックを行うモードである。第４の動作モード（ＡＵＴＯ（ＦＬＹＷＨＥＥＬ））は、外部の基準信号のフォーマットに拘わらず、外部同期モードでゲンロックを行い、また、外部の基準信号が無くなった場合に、無くなる直前の外部の基準信号を用いてゲンロックを行うモードである。第５の動作モード（ＭＡＮＵＡＬ（ＦＬＹＷＨＥＥＬ））は、ユーザによって指定されたフォーマットと一致する外部の基準信号が入力される場合に外部同期モードでゲンロックを行い、また、外部の基準信号が無くなった場合に、無くなる直前の外部の基準信号を用いてゲンロックを行うモードである。
【００３７】
また、警告機能が有効か否かを示すデータも、メモリ手段４７に記憶されている。さらに、ログ機能が有効か否かを示すデータも、メモリ手段４７に記憶されている。以下の説明において、メモリ手段４７には、第２の動作モード（ＡＵＴＯ（ＧＯ  ＩＮＴＥＲＮＡＬ））を表すデータ、警告機能が有効であることを示すデータ、及びログ機能が有効であることを示すデータが、予め記憶されていると仮定する。また、基準信号発生器１１からの基準信号（ＥＸＴ＿ＲＥＦ）は、同期信号分離器３１に予め入力されていないと仮定する。
【００３８】
ＣＰＵ４４は、プログラムに従って起動すると、リアルタイムクロック４６を参照して現在の日付及び時刻（例えば、２００４／１２／１５  １２：３４：５６）を得るとともに、メモリ手段４７に記憶されていたデータ（第２の動作モード（ＡＵＴＯ（ＧＯ  ＩＮＴＥＲＮＡＬ））を表すデータ、警告機能が有効であることを示すデータ、及びログ機能が有効であることを示すデータ）を読み出す。その後、ＣＰＵ４４は、第２の動作モードを準備するために、ＡＤコンバータ３４のデジタル値を選択するための信号（Ｖｃ  ＳＥＬＥＣＴ）をマルチプレクサ３５に出力する。また、ＣＰＵ４４は、警告機能及びログ機能を有効にする。ＣＰＵ４４は、ゲンロック装置２１が起動したこと及びゲンロックの動作モードを表すための信号を表示手段４９に出力する。表示手段４９は、例えば、「ＰＯＷＥＲ  ＯＮ，ＭＯＤＥ［ＡＵＴＯ（ＧＯ  ＩＮＴＥＲＮＡＬ）］」を表示する。ログ機能が有効であるので、ＣＰＵ４４は、表示手段４９が表示する内容及びそれに対応する日付及び時刻をメモリ手段４７に記憶する。
【００３９】
なお、ＣＰＵ４４は、外部同期モードを有効にするために、マルチプレクサ３５のデジタル値を選択するための信号（ＥＸＴ  ＳＥＬＥＣＴ）をマルチプレクサ３８に出力する。また、ＣＰＵ４４は、内部同期モードを準備する。すなわち、ＣＰＵ４４は、基準周波数（例えば、２７ＭＨｚ）を持つ信号を電圧制御発振器４０に発振させるためのデジタル値をメモリ手段４５から読み出し、ラッチ４３に出力する。さらに、ＣＰＵ４４は、警告機能の準備をするために、基準周波数（例えば、２７ＭＨｚ）よりも所定の値だけ高い及び低い周波数（例えば、２７．０００２７０ＭＨｚ及び２６．９９９７３０ＭＨｚ）を持つ信号を電圧制御発振器４０に発振させるための２つのデジタル値をメモリ手段４５から読み出す。
【００４０】
基準信号発生器１１からの基準信号が、同期信号分離器３１に入力されていないので、ＣＰＵ４４は、同期信号が含まれていないことを示す信号（ＳＹＮＣ＿ＡＢＳＥＮＴ）を、同期信号分離器３１から受け取るとともに、リアルタイムクロック４６を参照して現在の日付及び時刻（例えば、２００４／１２／１５  １２：３５：４３）を得る。その後、ＣＰＵ４４は、内部同期モードを有効にするために、ラッチ４３のデジタル値を選択するための信号（ＩＮＴ  ＳＥＬＥＣＴ）をマルチプレクサ３８に出力する。また、ＣＰＵ４４は、同期信号が無いこと及び内部同期モードを表すための信号を表示手段４９に出力する。表示手段４９は、例えば、「ＳＹＮＣ  ＡＢＳＥＮＴ，［ＩＮＴ］」を表示する。ＣＰＵ４４は、表示手段４９が表示する内容及びそれに対応する日付及び時刻をメモリ手段１７に記憶する。
【００４１】
その後、基準信号発生器１１からの基準信号（ＮＴＳＣ方式の同期信号であって、バースト信号、フィールド・リファレンス信号、および、１０フィールドＩＤ信号が多重され、映像信号が多重されていない信号）が、同期信号分離器３１に入力されると仮定する。ＣＰＵ４４は、検出したフォーマットを示す信号（ＦＯＲＭＡＴ＿ＤＥＴＥＣＴ）を同期信号分離器３１から受け取ると、外部同期モードを有効にするために、マルチプレクサ３５のデジタル値を選択するための信号（ＥＸＴ  ＳＥＬＥＣＴ）をマルチプレクサ３８に出力する。ＣＰＵ４４は、バッファ３６の読み出しによって、位相比較器３２に入力される２つの信号の位相差がなくなったことを得るとともに、現在の日付及び時刻（例えば、２００４／１２／１５  １２：４８：１２）を得る。また、ＣＰＵ４４は、マスター基準クロック信号が基準信号（ＥＸＴ＿ＲＥＦ）に位相同期したこと及び基準信号のフォーマット（ＮＴＳＣ方式の同期信号であって、バースト信号、フィールド・リファレンス信号、および、１０フィールドＩＤ信号が多重され、映像信号が多重されていない信号）を表すための信号を表示手段４９に出力する。表示手段４９は、例えば、「ＬＯＣＫＥＤ（ＥＸＴ），［ＮＴＳＣ  ＢＢ＋Ｒｅｆ＋ＩＤ］」を表示する。なお、「ＮＴＳＣＢＢ」は、ＮＴＳＣブラックバースト信号（ＮＴＳＣ方式の同期信号であって、バースト信号が多重され、映像信号が多重されていない信号）を表し、「Ｒｅｆ」は、フィールド・リファレンス信号が多重されていることを表し、「ＩＤ」は、１０フィールドＩＤ信号が多重されていることを表す。ＣＰＵ４４は、表示手段４９が表示する内容及びそれに対応する日付及び時刻をメモリ手段１７に記憶する。なお、警告機能が有効であるので、ＣＰＵ４４は、マスター基準クロック信号が基準信号（ＥＸＴ＿ＲＥＦ）に位相同期している間、バッファ３６に記憶されるデジタル値を定期的に読み出す。ＣＰＵ４４はさらに、バッファ３６からのデジタル値が、基準周波数よりも所定の値だけ高い周波数（例えば、２７．０００２７０ＭＨｚ）を持つ信号を電圧制御発振器４０に発振させるためのデジタル値よりも大きいか否かを判定し、また、バッファ３６からのデジタル値が、基準周波数よりも所定の値だけ低い周波数（例えば、２６．９９９７３０ＭＨｚ）を持つ信号を電圧制御発振器４０に発振させるためのデジタル値よりも大きいか否かを判定する。
【００４２】
その後、基準信号発生器１１からの基準信号が、同期信号分離器３１に入力されなくなると仮定する。ＣＰＵ４４は、同期信号がなくなったことを表す信号（ＳＹＮＣ＿ＡＢＳＥＮＴ）を、同期信号分離器３１から受け取るとともに、現在の日付及び時刻（例えば、２００４／１２／１５  １３：０１：２３）を得る。その後、ＣＰＵ４４は、内部同期モードを有効する。また、ＣＰＵ４４は、同期信号が無いこと及びゲンロックの状態を表すための信号を表示手段４９に出力する。表示手段４９は、例えば、「ＳＹＮＣ  ＡＢＳＥＮＴ，［ＩＮＴ］」を表示する。ＣＰＵ４４は、表示手段４９が表示する内容及びそれに対応する日付及び時刻をメモリ手段１７に記憶する。
【００４３】
その後、基準信号発生器１１からの基準信号（ＮＴＳＣ方式の同期信号であって、バースト信号が多重され、映像信号が多重されていない信号（＝ＮＴＳＣ方式のブラックバースト信号））が、同期信号分離器３１に入力されると仮定する。ＣＰＵ４４は、検出したフォーマットを示す信号を同期信号分離器３１から受け取ると、外部同期モードを有効にする。ＣＰＵ４４は、バッファ３６の読み出しによって、位相比較器３２に入力される２つの信号の位相差がなくなったことを得るとともに、現在の日付及び時刻（例えば、２００４／１２／１５  １３：０５：０７）を得る。また、ＣＰＵ４４は、マスター基準クロック信号が基準信号（ＥＸＴ＿ＲＥＦ）に位相同期したこと及び基準信号のフォーマット（ＮＴＳＣ方式のブラックバースト信号）を表すための信号を表示手段４９に出力する。表示手段４９は、例えば、「ＬＯＣＫＥＤ（ＥＸＴ），［ＮＴＳＣ  ＢＢ］」を表示する。ＣＰＵ４４は、表示手段４９が表示する内容及びそれに対応する日付及び時刻をメモリ手段１７に記憶する。なお、警告機能が有効であるので、ＣＰＵ４４は、マスター基準クロック信号が基準信号（ＥＸＴ＿ＲＥＦ）に位相同期している間、定期的に、バッファ３６からのデジタル値と、メモリ手段４５からの各デジタル値とを比較する。
【００４４】
その後、同期信号に、バースト信号が含まれなくなると仮定する。ＣＰＵ４４は、バースト信号がなくなったことを表す信号（ＢＵＲＳＴ＿ＡＢＳＥＮＴ）を、同期信号分離器３１から受け取るとともに、現在の日付及び時刻（例えば、２００４／１２／１５  １３：３４：４５）を得る。その後、ＣＰＵ４４は、内部同期モードを有効する。また、ＣＰＵ４４は、バースト信号が無いこと及びゲンロックの状態を表すための信号を表示手段４９に出力する。表示手段４９は、例えば、「ＢＵＲＳＴ  ＡＢＳＥＮＴ，［ＩＮＴ］」を表示する。ＣＰＵ４４は、表示手段４９が表示する内容及びそれに対応する日付及び時刻をメモリ手段１７に記憶する。
【００４５】
この時、同期信号にバースト信号が含まれなくとも、同期信号は、存在している。即ち、基準信号発生器１１からの基準信号は、総走査線数が５２５本でありフレーム周波数が５９．９４Ｈｚの同期信号であって、インターレース方式の同期信号である。従って、同期信号分離器３１は、入力した基準信号のフォーマットを検出する。ＣＰＵ４４は、検出したフォーマットを示す信号を同期信号分離器３１から受け取ると、外部同期モードを有効にする。ＣＰＵ４４は、バッファ３６の読み出しによって、位相比較器３２に入力される２つの信号の位相差がなくなったことを得るとともに、現在の日付及び時刻（例えば、２００４／１２／１５  １３：３４：４８）を得る。また、ＣＰＵ４４は、マスター基準クロック信号が基準信号（ＥＸＴ＿ＲＥＦ）に位相同期したこと及び基準信号のフォーマット（総走査線数が５２５本でありフレーム周波数が５９．９４Ｈｚの同期信号であって、インターレース方式の同期信号）を表すための信号を表示手段４９に出力する。表示手段４９は、例えば、「ＬＯＣＫＥＤ（ＥＸＴ），［５２５ｉ／５９．９４］」を表示する。ＣＰＵ４４は、表示手段４９が表示する内容及びそれに対応する日付及び時刻をメモリ手段１７に記憶する。なお、警告機能が有効であるので、ＣＰＵ４４は、定期的に、バッファ３６からのデジタル値と、メモリ手段４５からの各デジタル値とを比較する。
【００４６】
その後、基準信号発生器１１からの基準信号が、同期信号分離器３１に入力されなくなると仮定する。ＣＰＵ４４は、同期信号がなくなったことを表す信号（ＳＹＮＣ＿ＡＢＳＥＮＴ）を、同期信号分離器３１から受け取るとともに、現在の日付及び時刻（例えば、２００４／１２／１５  １３：３７：２０）を得る。その後、ＣＰＵ４４は、内部同期モードを有効する。また、ＣＰＵ４４は、同期信号が無いこと及びゲンロックの状態を表すための信号を表示手段４９に出力する。表示手段４９は、例えば、「ＳＹＮＣ  ＡＢＳＥＮＴ，［ＩＮＴ］」を表示する。ＣＰＵ４４は、表示手段４９が表示する内容及びそれに対応する日付及び時刻をメモリ手段１７に記憶する。
【００４７】
その後、基準信号発生器１１からの基準信号（ＮＴＳＣ方式のブラックバースト信号）が、同期信号分離器３１に入力されると仮定する。ＣＰＵ４４は、検出したフォーマットを示す信号を同期信号分離器３１から受け取ると、外部同期モードを有効にする。ＣＰＵ４４は、バッファ３６の読み出しによって、位相比較器３２に入力される２つの信号の位相差がなくなったことを得るとともに、現在の日付及び時刻（例えば、２００４／１２／１５  １３：３７：２２）を得る。また、ＣＰＵ４４は、マスター基準クロック信号が基準信号（ＥＸＴ＿ＲＥＦ）に位相同期したこと及び基準信号のフォーマット（ＮＴＳＣ方式のブラックバースト信号）を表すための信号を表示手段４９に出力する。表示手段４９は、例えば、「ＬＯＣＫＥＤ（ＥＸＴ），［ＮＴＳＣ  ＢＢ］」を表示する。ＣＰＵ４４は、表示手段４９が表示する内容及びそれに対応する日付及び時刻をメモリ手段１７に記憶する。なお、警告機能が有効であるので、ＣＰＵ４４は、定期的に、バッファ３６からのデジタル値と、メモリ手段４５からの各デジタル値とを比較する。
【００４８】
その後、ゲンロックの動作モードが第４の動作モードに変更されると仮定する。ＣＰＵ４４は、ユーザによって変更された第４の動作モードを入力手段５０から入力し、第４の動作モードを有効にするとともに、現在の日付及び時刻（例えば、２００４／１２／１５  １３：４５：５０）を得る。また、ＣＰＵ４４は、第４の動作モードを表すデータをメモリ手段４７に記憶する。さらに、ＣＰＵ４４は、ゲンロックの動作モードが変更したこと及びゲンロックの動作モードを表すための信号を表示手段４９に出力する。表示手段４９は、例えば、「ＭＯＤＥ  ＣＨＡＮＧＥ，ＭＯＤＥ［ＡＵＴＯ（ＦＬＹＷＨＥＥＬ）］」を表示する。
【００４９】
ＣＰＵ４４は、バッファ３６の読み出しによって、位相比較器３２に入力される２つの信号の位相差がなくなったことを得るとともに、現在の日付及び時刻（例えば、２００４／１２／１５  １３：４６：０５）を得る。また、ＣＰＵ４４は、マスター基準クロック信号が、再び、基準信号（ＥＸＴ＿ＲＥＦ）に位相同期したこと及び基準信号のフォーマット（ＮＴＳＣ方式のブラックバースト信号）を表すための信号を表示手段４９に出力する。表示手段４９は、例えば、「ＬＯＣＫＥＤ（ＥＸＴ），［ＮＴＳＣ  ＢＢ］」を表示する。ＣＰＵ４４は、表示手段４９が表示する内容及びそれに対応する日付及び時刻をメモリ手段１７に記憶する。なお、警告機能が有効であるので、ＣＰＵ４４は、定期的に、バッファ３６からのデジタル値と、メモリ手段４５からの各デジタル値とを比較する。
【００５０】
その後、基準信号発生器１１からの基準信号が、同期信号分離器３１に入力されなくなると仮定する。ＣＰＵ４４は、同期信号がなくなったことを表す信号（ＳＹＮＣ＿ＡＢＳＥＮＴ）を、同期信号分離器３１から受け取るとともに、現在の日付及び時刻（例えば、２００４／１２／１５  １３：５１：２３）を得る。ＣＰＵ４４は、同期信号が無いことを表すための信号を表示手段４９に出力する。表示手段４９は、例えば、「ＳＹＮＣ  ＡＢＳＥＮＴ，［ＮＯ  ＳＩＧＮＡＬ］」を表示する。ＣＰＵ４４は、表示手段４９が表示する内容及びそれに対応する日付及び時刻をメモリ手段１７に記憶する。
【００５１】
その後、ＣＰＵ４４は、同期信号がなくなったことを表す信号（ＳＹＮＣ＿ＡＢＳＥＮＴ）を受け取る直前にバッファ３６から読み出したデジタル値をラッチ３７に出力する。さらに、ＣＰＵ４４は、ラッチ３７のデジタル値を選択するための信号（Ｖｃ  ＦＬＹＷＨＥＥＬ  ＣＯＮＴＲＯＬ  ＳＥＬＥＣＴ）をマルチプレクサ３５に出力するとともに、現在の日付及び時刻（例えば、２００４／１２／１５  １３：５１：２４）を得る。ＣＰＵ４４は、マスター基準クロック信号が、無くなる直前の基準信号（ＥＸＴ＿ＲＥＦ）に位相同期したこと及び基準信号が無いことを表すための信号を表示手段４９に出力する。表示手段４９は、例えば、「ＬＯＣＫＥＤ（ＦＬＹＷＨＥＥＬ），［ＮＯ  ＳＩＧＮＡＬ］」を表示する。ＣＰＵ４４は、表示手段４９が表示する内容及びそれに対応する日付及び時刻をメモリ手段１７に記憶する。
【００５２】
その後、基準信号発生器１１からの基準信号（ＮＴＳＣ方式のブラックバースト信号）が、同期信号分離器３１に入力されると仮定する。ＣＰＵ４４は、検出したフォーマットを示す信号を同期信号分離器３１から受け取ると、ＡＤコンバータ３４のデジタル値を選択するための信号（Ｖｃ  ＳＥＬＥＣＴ）をマルチプレクサ３５に出力する。ＣＰＵ４４は、バッファ３６の読み出しによって、位相比較器３２に入力される２つの信号の位相差がなくなったことを得るとともに、現在の日付及び時刻（例えば、２００４／１２／１５  １３：５５：５０）を得る。また、ＣＰＵ４４は、マスター基準クロック信号が基準信号（ＥＸＴ＿ＲＥＦ）に位相同期したこと及び基準信号のフォーマット（ＮＴＳＣ方式のブラックバースト信号）を表すための信号を表示手段４９に出力する。表示手段４９は、例えば、「ＬＯＣＫＥＤ（ＥＸＴ），［ＮＴＳＣ  ＢＢ］」を表示する。ＣＰＵ４４は、表示手段４９が表示する内容及びそれに対応する日付及び時刻をメモリ手段１７に記憶する。なお、警告機能が有効であるので、ＣＰＵ４４は、定期的に、バッファ３６からのデジタル値と、メモリ手段４５からの各デジタル値とを比較する。
【００５３】
その後、同期信号に、バースト信号が含まれなくなると仮定する。ＣＰＵ４４は、バースト信号がなくなったことを表す信号（ＢＵＲＳＴ＿ＡＢＳＥＮＴ）を、同期信号分離器３１から受け取るとともに、現在の日付及び時刻（例えば、２００４／１２／１５  １４：０１：０２）を得る。ＣＰＵ４４は、バースト信号が無いことを表すための信号を表示手段４９に出力する。表示手段４９は、例えば、「ＢＵＲＳＴ  ＡＢＳＥＮＴ，［ＮＯ  ＳＩＧＮＡＬ］」を表示する。ＣＰＵ４４は、表示手段４９が表示する内容及びそれに対応する日付及び時刻をメモリ手段１７に記憶する。
【００５４】
この時、同期信号にバースト信号が含まれなくとも、同期信号は、存在している。即ち、基準信号発生器１１からの基準信号は、総走査線数が５２５本でありフレーム周波数が５９．９４Ｈｚの同期信号であって、インターレース方式の同期信号である。従って、同期信号分離器３１は、入力した基準信号のフォーマットを検出する。
ＣＰＵ４４は、バースト信号がなくなったことを表す信号（ＢＵＲＳＴ＿ＡＢＳＥＮＴ）を受け取る直前にバッファ３６から読み出したデジタル値をラッチ３７に出力する。さらに、ＣＰＵ４４は、ラッチ３７のデジタル値を選択するための信号（Ｖｃ  ＦＬＹＷＨＥＥＬ  ＣＯＮＴＲＯＬ  ＳＥＬＥＣＴ）をマルチプレクサ３５に出力するとともに、現在の日付及び時刻（例えば、２００４／１２／１５  １４：０１：０３）を得る。また、ＣＰＵ４４は、検出したフォーマットを示す信号を同期信号分離器３１から受け取る。ＣＰＵ４４は、マスター基準クロック信号が、無くなる直前の基準信号（ＥＸＴ＿ＲＥＦ）に位相同期したこと及び検出した基準信号のフォーマットを表すための信号を表示手段４９に出力する。表示手段４９は、例えば、「ＬＯＣＫＥＤ（ＦＬＹＷＨＥＥＬ），［５２５ｉ／５９．９４］」を表示する。ＣＰＵ４４は、表示手段４９が表示する内容及びそれに対応する日付及び時刻をメモリ手段１７に記憶する。
【００５５】
ＣＰＵ４４は、検出したフォーマットを示す信号を同期信号分離器３１から受け取ると、ＡＤコンバータ３４のデジタル値を選択するための信号（Ｖｃ  ＳＥＬＥＣＴ）をマルチプレクサ３５に出力する。ＣＰＵ４４は、バッファ３６の読み出しによって、位相比較器３２に入力される２つの信号の位相差がなくなったことを得るとともに、現在の日付及び時刻（例えば、２００４／１２／１５  １４：０１：０４）を得る。また、ＣＰＵ４４は、マスター基準クロック信号が基準信号（ＥＸＴ＿ＲＥＦ）に位相同期したこと及び基準信号のフォーマット（総走査線数が５２５本でありフレーム周波数が５９．９４Ｈｚの同期信号であって、インターレース方式の同期信号）を表すための信号を表示手段４９に出力する。表示手段４９は、例えば、「ＬＯＣＫＥＤ（ＥＸＴ），［５２５ｉ／５９．９４］」を表示する。ＣＰＵ４４は、表示手段４９が表示する内容及びそれに対応する日付及び時刻をメモリ手段１７に記憶する。なお、警告機能が有効であるので、ＣＰＵ４４は、定期的に、バッファ３６からのデジタル値と、メモリ手段４５からの各デジタル値とを比較する。
【００５６】
その後、バッファ３６からのデジタル値が、メモリ手段４５からの各デジタル値によって定義される範囲を超えると仮定する。ＣＰＵ４４は、バッファ３６からのデジタル値が、基準周波数よりも所定の値だけ高い周波数（例えば、２７．０００２７０ＭＨｚ）を持つ信号を発振するように予め決定されたデジタル値よりも大きいと判定すると、現在の日付及び時刻（例えば、２００４／１２／１５  １４：０１：１４）を得る。好ましくは、バッファ３６からのデジタル値が、所定の期間（例えば、１０秒間）以上、メモリ手段４５からの各デジタル値によって定義される範囲を超える場合に、ＣＰＵ４４は、バッファ３６からのデジタル値が、メモリ手段４５からのデジタル値よりも大きいと判定し、現在の日付及び時刻を得る。
【００５７】
また、ＣＰＵ４４は、マスター基準クロック信号が上限の許容値を超えて基準信号（ＥＸＴ＿ＲＥＦ）に位相同期したこと及び基準信号のフォーマット（総走査線数が５２５本でありフレーム周波数が５９．９４Ｈｚの同期信号であって、インターレース方式の同期信号）を表すための信号を表示手段４９に出力する。表示手段４９は、例えば、「ＷＡＲＮＩＮＧ！  ＯＶＥＲ  ＋１０ｐｐｍ，［５２５ｉ／５９．９４］」を表示する。ＣＰＵ４４は、表示手段４９が表示する内容及びそれに対応する日付及び時刻をメモリ手段１７に記憶する。なお、警告機能が有効であるので、ＣＰＵ４４は、引き続き、バッファ３６からのデジタル値と、メモリ手段４５からの各デジタル値とを比較する。なお、表示手段４９は、警告を示す文字を表示する代わりに、警告を示すＬＥＤの点灯又は点滅によって、実施してもよい。
【００５８】
その後、バッファ３６からのデジタル値が、メモリ手段４５からの各デジタル値によって定義される範囲内に戻ると仮定する。ＣＰＵ４４は、バッファ３６からのデジタル値が、基準周波数よりも所定の値だけ高い周波数（例えば、２７．０００２７０？ＭＨｚ）を持つ信号を発振するように予め決定されたデジタル値よりも小さいと判定すると、現在の日付及び時刻（例えば、２００４／１２／１５  １４：０２：３０）を得る。好ましくは、バッファ３６からのデジタル値が、所定の期間（例えば、１０秒間）以上、メモリ手段４５からの各デジタル値によって定義される範囲内に戻る場合に、ＣＰＵ４４は、バッファ３６からのデジタル値が、メモリ手段４５からのデジタル値よりも小さいと判定し、現在の日付及び時刻を得る。
【００５９】
また、ＣＰＵ４４は、マスター基準クロック信号が上限の許容値内で基準信号（ＥＸＴ＿ＲＥＦ）に位相同期していること及び基準信号のフォーマット（総走査線数が５２５本でありフレーム周波数が５９．９４Ｈｚの同期信号であって、インターレース方式の同期信号）を表すための信号を表示手段４９に出力する。表示手段４９は、例えば、「ＵＮＤＥＲ  ＋１０ｐｐｍ，［５２５ｉ／５９．９４］」を表示する。ＣＰＵ４４は、表示手段４９が表示する内容及びそれに対応する日付及び時刻をメモリ手段１７に記憶する。なお、警告機能が有効であるので、ＣＰＵ４４は、引き続き、バッファ３６からのデジタル値と、メモリ手段４５からの各デジタル値とを比較する。
【００６０】
図４は、メモリ手段１７に記憶されるログの内容の１例を表す。図４に示すように、メモリ手段１７には、ログの発生番号ととともに、上述のゲンロックの状態が、記憶されている。なお、メモリ手段１７の容量を考慮して、ログの発生番号の数を、例えば９９に設定することもできる。すなわち、メモリ手段１７は、９９個のゲンロックの状態を記憶する。ＣＰＵ４４は、１００個目以降のゲンロックの状態をメモリ手段１７に記憶する毎に、最も古いログの発生番号のゲンロックの状態を消去する。
【００６１】
ＣＰＵ４４は、ユーザによって指定されたログ保存モードを入力手段５０から入力すると、メモリ手段１７に記憶されるログの内容を、記憶媒体４８（例えば、ＣＦ  ＣＡＲＤ）に保存する。
【００６２】
また、ＣＰＵ４４は、ユーザによって指定されたログ表示モードを入力手段５０から入力すると、メモリ手段１７に記憶されるログの内容を、表示手段４９に表示する。なお、表示手段４９の表示領域を考慮して、表示手段４９は、ログの発生番号毎に、ゲンロックの状態を表示することもできる。
【００６３】
本発明によれば、外部の基準同期信号の状態を把握することができるので、外部の基準同期信号にどのような異常がいつ発生したのかを分析することができる。
【図面の簡単な説明】
【００６４】
【図１】ゲンロックシステムを概略的に説明するための図である。
【図２】映像信号発生器１２の概略機能ブロック図である。
【図３】本発明に従ったゲンロック装置２１の詳細なブロック図である。
【図４】メモリ手段１７に記憶されるログの内容の１例を表す。
【図１】
2006217419.tif 000003
【図２】
2006217419.tif 000004
【図３】
2006217419.tif 000005
【図４】
2006217419.tif 000006